(57)【要約】【課題】  本発明は、カメラ，モニタ及び接続手段を有する監視装置に関する。この場合、応答識別子を記憶する応答識別子記憶装置を有し、画像データが、これらの応答識別記憶装置の下でカメラから呼び出し可能であり、モニタに割り当てられていてかつ応答識別子を生成する応答識別子生成手段を有し、これらの応答識別子は、画像データがどのカメラから呼び出されなければならないかを示し、この場合、接続手段が、モニタに割り当てられた応答識別子生成手段によって生成された応答識別子に応答して画像データをこれらのモニタにつなぐために構成されていることが提唱されている。
2006520145.tif 000002
【特許請求の範囲】
【請求項１】
カメラ，モニタ及び接続手段を有する監視装置において、応答識別子を記憶する応答識別子記憶装置を有し、画像データが、これらの応答識別記憶装置の下でカメラから呼び出し可能であり、モニタに割り当てられていてかつ応答識別子を生成する応答識別子生成手段を有し、これらの応答識別子は、画像データがどのカメラから呼び出されなければならないかを示し、この場合、接続手段が、モニタに割り当てられた応答識別子生成手段によって生成された応答識別子に応答して画像データをこれらのモニタにつなぐために構成されていることを特徴とする監視装置。
【請求項２】
監視装置は、制御ステーション手段を有し、多数のモニタが、この制御ステーション手段内に配置されていて、それぞれのモニタへのカメラの切り替えを制御するため、この制御ステーション手段は、制御手段を有することを特徴とする請求項１に記載の監視装置。
【請求項３】
制御手段は、カメラの画像データが１台のモニタ上に表示されなければならないこれらのカメラの制御応答識別子を、画像データを要求しなければならないモニタに伝送するために構成されていること、及び、表示に必要な画像データを制御応答識別子に割り当てられたカメラから要求するため、モニタの応答識別子生成手段は、制御手段の応答識別子に割り当てられるカメラのこれらの応答識別子を制御手段によって生成され受信された制御応答識別子に応答してこれらのカメラに出力するために構成されていることを特徴とする請求項１又は２に記載の監視装置。
【請求項４】
制御手段は、ネットワーク端子を有するコンピュータに対して及び／又はネットワーク端子を有するコンピュータと共に構成されていて、この場合、このネットワーク端子は、制御応答識別子を少なくとも伝送するために構成されていることを特徴とする請求項１〜３のいずれか１項に記載の監視装置。
【請求項５】
カメラは、デジタル画像を提供し、特にＷＥＢカメラとして構成されていることを特徴とする請求項１〜４のいずれか１項に記載の監視装置。
【請求項６】
モニタは、従来のブラウザによって表示可能である特にウェブの標準フォーマットでデジタル画像を受信し表示するために構成されていることを特徴とする請求項１〜５のいずれか１項に記載の監視装置。
【請求項７】
応答識別子記憶装置は、モニタの少なくとも１つのモニタ、好ましくは全てのモニタ，カメラ，接続手段及び／又は中央制御手段内に設けられていることを特徴とする請求項１〜６のいずれか１項に記載の監視装置。
【請求項８】
応答識別子記憶装置は、ネットワークアドレス、特にＩＰアドレス、特に付与可能なダイナミックＩＰアドレスとしての応答識別子を記憶するために構成されていることを特徴とする請求項１〜７のいずれか１項に記載の監視装置。
【請求項９】
接続手段は、ネットワーク伝送線（ＬＡＮ，ＷＬＡＮ，ＷＡＮ，ＤＦＵｅ）及び少なくとも１つのネットワークスイッチを有し、画像データがこのネットワークスイッチに入力され、画像データがこのネットワークスイッチから出力されることを特徴とする請求項１〜８のいずれか１項に記載の監視装置。
【請求項１０】
接続手段は、データ伝送が特に標準ネットワークプロトコルにしたがうように、画像データに加えて応答識別子及び／又は制御命令をカメラとモニタと場合によっては存在する制御ステーション手段との間で伝送するために構成されていることを特徴とする請求項１〜９のいずれか１項に記載の監視装置。
【発明の詳細な説明】
【技術分野】
【０００１】
本発明は、請求項１の上位概念に記載の監視装置に関する。
【背景技術】
【０００２】
刑務所，空港，百貨店等のような大きい複合建造物用の監視装置は、一般に多数のカメラ及び多数のモニタを有する制御ステーションを備える。これらのカメラは、建物内の異なる領域及び部屋の画像を提供する。それぞれの画像が、これらのモニタ上に表示できる。
【０００３】
画像を提供する多数のカメラと多数のモニタとを互いに接続することが必要である。このことは、従来ではクロスバー等を必要とする。このようなクロスバー等の場合、割り当ての変更に柔軟性がないだけではなくて、一般に専ら非常に高価にしか実現できない。
【０００４】
多くの異なる場所を監視及び／又は観察する多数のデジタルカメラを設けることがさらに公知である。この場合、しかしならが一般に複数の画像が１台のＰＣ上に集まるという問題が発生する。多数のカメラで監視の目的で高い画像分解能を一般に希望する場合、このことは、ネットワークに大きな負荷がかかるか又は非常に広い帯域幅を必要とする。
【０００５】
これらの説明した不都合の少なくとも一部が少なくとも部分的に緩和されているように、監視装置を構成することが望ましい。
【特許文献１】ドイツ連邦共和国特許出願公開第102 61 501号明細書
【発明の開示】
【発明が解決しようとする課題】
【０００６】
本発明の課題は、営業用途用の新規な監視装置を提供することにある。
【課題を解決するための手段】
【０００７】
この課題は、請求項１に記載の監視装置によって解決される。好適は実施形が、従属請求項中に記載されている。
【０００８】
これに対して本発明は、第１の思想ではカメラ，モニタ及び接続手段を有する監視装置を提唱する。この監視装置の場合、監視装置が、応答識別子を記憶する応答識別子記憶装置及び応答識別子生成手段を有する。画像データが、これらの応答識別子下でカメラから呼び出し可能である。応答識別子生成手段は、モニタに割り当てられていて応答識別子を生成する。これらの応答識別子は、画像データがどのカメラから呼び出されるべきかを示す。この場合、接続手段が、モニタに割り当てられた応答識別子生成手段によって生成された応答識別子に応答してこれらの画像データをこれらのモニタにつなぐために構成されている。
【０００９】
したがって本発明の第１の重要な側面は、画像データが各カメラに記憶される応答識別子を使用して伝送されるように、監視装置を構成する点にある。この場合、モニタは、希望の画像を表示するために必要なこれらの応答識別子を生成する。すなわち、この監視装置の構成の場合、１つの応答識別子が１台のカメラに最初に割り当てられ、この識別子が記憶される。次いでこのカメラの１つの画像又は複数の画像をどのモニタ上に又はどの個別モニタ上に表示するかを確定するため、１つの対応する応答識別子が、モニタによって生成される。このモニタは、一般にこの応答識別子を接続手段に伝送し、この接続手段から対応するカメラにつながれる。
【００１０】
この全体の配置は、制御ステーションを有する。どのカメラ又はその他の画像源が１つの特定のモニタにその都度接続されなければならないかを確定するため、この制御ステーションは、特に制御手段を有する。カメラ以外の別の画像源の使用可能性を説明する。すなわち、空港内で挙動不審な人を捕らえた場合に、例えば捜索される人のデータバンクと実際に観察された人との比較を迅速に可能にするため、これらの人の画像を第１モニタに表示し、データバンクからの比較画像を隣のモニタ上に表示することが例えば可能である。産業工程の監視の場合、エラーがより迅速に確認され得るように、実際の工程を目標の工程に並べて表示することも可能である。例えば生録画，録画，データバンク情報等の場合に、追加情報が一緒に表示される。これらの追加情報は、カメラ，データバンクサーバ，モニタに割り当てられたローカル・ハードディスク等のようなその都度のデータソースから送られ及び／又は表示すべき画像データに対してパラレルに若しくは断続的に切り替えられて若しくはシリアルに制御ステーションの制御手段によってネットワークを通じて伝送され得る。
【００１１】
それぞれの画像データがどのカメラからモニタ上に表示されるかを制御応答識別子によってモニタに知らせるため、この制御応答識別子をこれらのモニタに伝送するために制御手段を構成することが可能である。このことは、一方では制御手段がカメラの対応する識別子に関する情報を有し、すなわち対応する応答識別子記憶装置が制御手段内に設けられていて及び／又はこの制御手段によって応答可能であること並びに他方ではモニタ識別子記憶装置を組み込むことによって及び／又は制御手段に対して外部のモニタ識別子記憶手段にアクセスすることによって制御手段用のモニタの識別子にアクセス可能であることを必要とする。
【００１２】
サーバとしてのＰＣ，ワークステーション等に接続された及び／又はサーバとしてのＰＣ，ワークステーション等を有する制御手段がそれぞれ、ネットワーク端末によって構成されていることが可能である。このとき、既存の要素が使用できる。これらの要素は、安価に入手可能でありかつ破損時に問題なく迅速に交換可能である。この場合、制御手段のネットワーク端子は、全てのカメラの全ての画像データの十分な伝送速度に対して最高の分解能の形態で構成される必要はない。むしろ、各ネットワーク端子が画像データの一部だけを同時に伝送できるだけで十分である；高い画像分解能でも、このことは、今日の技術にしたがって僅かな経費で既に可能である。
【００１３】
カメラは、一般に既にデジタル画像で提供され、特ＷＥＢカメラとして構成されている。本出願人の同時に申請した出願に起因したシングルショットカメラから構成された及び／又はこのようなカメラを含むマルチカメラをカメラとして使用することが可能であることが明らかである。この出願は、ここでは開示の目的で概略的に一緒に記載されている。さらに、異種のカメラを監視装置内で組み合わせること、すなわち例えば大きい場所をマルチカメラ手段で監視すること、個々の場所を固定設置されたシングルショットカメラで監視すること、時おり訪問する領域を旋回可能な特に可変な焦点距離を有し得るカメラで監視すること、及び／又は別の領域内に固定の焦点距離範囲を有する固定設置された１台の全視界カメラと可変な焦点距離を有する旋回可能な１台のカメラとを有するダブルカメラシステムを設けることが可能である。特に画像データがデジタル式に供給される時に、これらの画像データをカメラで既に圧縮できる。その都度アクセスできる画像領域内で特に重要であると認識された領域又はあまり重要でない領域の実際の変化に応じて、画像データが圧縮され得る。これに関しては、ドイツ連邦共和国特許出願公開第102 61 501号明細書を参照のこと。この明細書は、ここでは開示の目的で同様に概略的に記載されている。
【００１４】
監視装置は、モニタとして特に局所的な人工知能を有するモニタを有する。これらのモニタは、デジタル画像を受信し表示するために構成されている。そのためこれらのモニタは、標準フォーマットのウェブブラウザによって構成され得る。専門用語「モニタ」が、このような場合に画像面に接続されている標準ＰＣのような装置に対して使用されることを明確に説明する。これらのＰＣは、デジタルデータをネットワーク端子を通じて受信し、グラフィック表示部、すなわち従来の意味でのモニタ上で再生するために適切に装備が施されている。
【００１５】
１つの応答識別子記憶装置が、好ましくは各モニタ，各カメラ，各接続手段及び／又は各中央制御手段内に設けられ得かつ設けられる。応答識別子記憶装置をネットワークアドレス、特にＩＰアドレス、特にダイナミックに与えられるＩＰアドレスとしての応答識別子を記憶するために構成することが特に可能である。この場合、ＷＥＢカメラとして構成されているカメラをネットワークに接続した時に、このことが、ネットワーク内で自動的に伝わる。ダイナミックアドレス付与の場合、新たに接続されたカメラが、ネットワーク内に既に組み込まれたカメラの数に関係なく既に与えられているＩＰアドレスを受け取らないことが保証されている。このとき、このカメラを一義的なＩＰアドレスで呼び出すことが可能になる。画像が、新たに与えられたＩＰアドレスを有するカメラによって表示されていることがモニタに知らされることによって、このカメラによって提供された画像が、制御ステーション内で直接表示可能である。したがって、非常に迅速な拡張可能性及び／又は故障したカメラ又はその他の要素の容易な交換可能性が得られる。同様に、それぞれ１つのＩＰアドレスが割り当てられたモニタ又はこれらのモニタに割り当てられた局所的な人工知能を有する装置を、交換すること又はさらに設けることも可能である。局所的な人工知能が提供されたＰＣ等によって設けられ得ることを上述した一方で、この代わりに最小の機能、例えば提供されたＡＳＩＣＳ等を有する内蔵されたＰＣ等をモニタに設けることが可能である。
【００１６】
接続手段は、一般に構内通信網（ＬＡＮ），無線ネットワーク，ＷＡＮ，ＩＳＤＮ等のデータ遠隔伝送線のようなネットワーク伝送線及びネットワークスイッチを有する。例えば、伝送線が敷設されていないか又はまだ敷設されていない遠くにあるカメラから無線信号を制御ステーション又はこの制御ステーションの前に設けられている中継局に送信し、固定設置された装置によって特に広帯域ネットワーク伝送線を通じて信号を受信するため、ＬＡＮやＷＬＡＮのような異なる接続手段又はネットワーク伝送線を組み合わせることが可能である。無線を通じて接続されているカメラを設けることは、例えば大きい行事に対して通常は閉ざされている建物の入口をさらに開けなければならない場合、特に必要のある場合に、産業展示会場内の急上昇する予想外に高い事故頻度を伴う会場内の工事現場，機械等のような実際の問題領域を短期間さらに監視するため又は交換場所で盗難を監視するため、迅速な（カメラの）増設を実施可能にする。この場合、特に特許請求の範囲中に開示した適切な画像データの圧縮方法を実施するならば、無線区間を通じて通常に伝送可能なより低い伝送速度も、画像を高い分解能で伝送するのにも全く問題ない。
【００１７】
接続手段は、一般に画像データだけではなくて、特に応答識別子及び／又は制御命令も伝送する。これらは、特にカメラ，モニタ及び／又は場合によっては存在する制御ステーションの制御手段間でやりとりされ得る。応答すべきカメラをそれぞれのモニタでプリセットすることもできることを、希望ならば同様に説明する。
【００１８】
制御命令は、事故メッセージ及びエラーメッセージを含んでもよい。
【００１９】
保護が、方法に対して要求される。この方法の場合、識別子アドレス、特にＩＰアドレスが、多数のカメラ及びモニタに割り当てられる。異なるカメラが、標準ネットワークスイッチ（switch）を通じて及び／又は対応する伝送可能性を前提条件として場合によってはネットワーク・ルータも通じて特定のモニタに切り替えられる。一般的な方法で得られた特別な形態及びここから得られた特別な形態が要求される。
【００２０】
以下で、本発明を例えば図に基づいて説明する。
【発明を実施するための最良の形態】
【００２１】
図１によれば、共通に１で示された監視装置１が、カメラ２，モニタ３及び接続手段４を有する。この場合、応答識別子を記憶する応答識別子記憶装置５及び応答識別子生成手段３ａ１，３ｂ１，３ｃ１等が、監視装置１内にさらに設けられている。画像データが、この応答識別子記憶装置５及び接続手段４を通じてカメラ２から呼び出し可能である。これらの応答識別子生成手段３ａ１，３ｂ１，３ｃ１等は、モニタ３に割り当てられていて応答識別子を生成する。これらの識別子は、画像データがどのカメラ２から呼び出されなければならないかを示す。この場合、接続手段４は、モニタ３に割り当てられた応答識別子生成手段３ａ１，３ｂ１，３ｃ１．．．によって生成された応答識別子に応答してこれらの画像データをこれらのモニタにつなぐために構成されている。
【００２２】
監視装置１は、この例では非常に多い数のモニタを有する制御ステーションである。より簡素に図示する理由から、これらのモニタのうちの３つのモニタだけが示されている。多数のカメラ２の複数の画像が、建物の監視をするためにこれらのモニタ上に表示可能である。これらのカメラ２のうちの５つのカメラ２ａ，２ｂ，２ｃ，２ｄ，２ｅだけが示されている。制御ステーションは、モニタ３に加えて制御手段６を有する。この制御手段６は、カメラ２ａ，２ｂ，２ｃ等のうちのどのカメラ画像がモニタ３ａ，３ｂ，３ｃ等のうちのどのモニタ上に実際に表示されなければならないかを示す。
【００２３】
カメラ２は、デジタルＷＥＢカメラである。これらのデジタルＷＥＢカメラは、制御手段６によってダイナミックに与えられるべきＩＰアドレスによって呼び出され得る。これらのＷＥＢカメラが呼び出されると、これらのＷＥＢカメラは、画像データを標準ブラウザによって読み取り可能なフォーマットでアドレスに対して出力する。これらのＷＥＢカメラは、これらの画像データをこのアドレスに対して出力しなければならない。特にここのような通常の場合は、要求されているアドレスに対して出力しなければならない。さらにＷＥＢカメラは、接続手段の一部である伝送線を通じてこの接続手段に属する中継局としての十分に多い入力数及び出力数並びに十分な帯域幅を有するネットワークスイッチ４ａ４に接続されている。ネットワーク伝送線４ａ２，４ｂ２，４ｃ２，４ｅ２による接続が示されている。これらのネットワーク伝送線４ａ２，４ｂ２，４ｃ２，４ｅ２は、カメラ２の伝送線から中継局４ａ４にかけて敷設されている。これらの伝送線は、カメラシステムからの画像データを伝送するために十分な帯域幅を有する。カメラ２ｂのようなこのカメラシステムは、マルチカメラシステムでもよい。この代わりに、無線区間接続，データ遠隔伝送伝送線等を、接続区間の一部にしてもよいし及び／又は接続区間全体に形成してもよい。個々のカメラ２は、画像データを圧縮し評価する装置２ａ１又は２ｂ１，２ｃ１，２ｄ１，２ｅ１に加えて応答識別子記憶装置を１つずつ有する。制御手段６によってダイナミックに与えられたそれぞれのカメラの応答識別子が、ＩＰアドレスとしてこの応答識別子記憶装置に記憶されている。カメラ内のこの応答識別子記憶手段を５ａ２（カメラ２ａ），５ｂ２（カメラ２ｂ）等として示す。
【００２４】
モニタ３は、応答識別子記憶装置５ａ３，５ｂ３，５ｃ３等を有する。ＩＰアドレスが、この応答識別子記憶装置５ａ３，５ｂ３，５ｃ３等内に動的に記憶され得る。それぞれのモニタが、このＩＰアドレス下で標準ＩＰプロトコルを通じて呼び出し可能である。さらに、対応する伝送線４ａ３，４ｂ３，４ｃ３を通じてスイッチ手段４ａ４に接続するためのインターフェース３ａ２，３ｂ２，３ｃ２等が存在する。画像データが呼び出されなければならないカメラのそれぞれの応答識別子を出力するため、応答識別子生成手段３ａ１，３ｂ１，３ｃ１がさらに存在する。対応する伝送線４ａ３，４ｂ３，４ｃ３は、従来のＬＡＮ伝送線である。応答識別子記憶装置５ａ３，応答識別子生成手段３ａ１及びインターフェース３ａ２は、組み込まれた特に内蔵された（内蔵されたＰＣ）ＰＣ電子回路の一部でもよい。このＰＣ電子回路の一部は、ＷＥＢカメラによって受信された画像データを復号し表示するブラウザ機能を含むモニタ３に必要な全ての最小機能を有するものの、好ましくは組み込まれたインターフェース，最小の記憶装置及びブラウザ・プログラムを有する従来のＰＣとして構成されている。遠隔制御可能なデータ呼び出しが、このブラウザ・プログラムによって起動され得る。
【００２５】
接続手段４は、既に説明した接続伝送線に加えて従来のネットワーク方式のスイッチ４ａ４を有する。モニタ，制御手段６に割り当てられ得る中断のない電力供給のような信頼性を高める配置及び冗長に保護する手段が設置可能であり及び／又は実行がさらに十分速いルータによって可能であることを完全を期すために説明する。
【００２６】
示された実施の形態では、スイッチが応答識別子記憶装置５ａ４を有するように、このスイッチは構成される。それぞれの端子に接続されている機器のうちのどの機器がどの応答識別子の下で、すなわちどのＩＰアドレスの下で呼び出し可能であるか及びどのようにして実際に希望する接続を実行するかが、この応答識別子記憶装置５ａ４内に記憶されている。換言すれば、どのＩＰアドレスの下でモニタ３ｂ１を呼び出すか、どのＩＰアドレスの下でモニタ３ｂ１を呼び出すか等並びにどのＩＰアドレスの下でカメラ２ａ，２ｂ，２ｃ及び制御手段６を呼び出すかが、スイッチの応答識別子記憶装置５ａ４内に記憶されている。このことは、従来の技術で存在するスイッチの従来の機能である。したがってこのスイッチは、対応する帯域幅及び／又は接続数を前提条件として総じて従来通りにできる。
【００２７】
さらにスイッチは、制御手段６に接続されている。この制御手段６は、この示された好適な実施の形態では標準ＰＣである。どのカメラ２ａ，２ｂ... の画像が、どのモニタ３ａ，３ｂ，３ｃ上に表示されているか、及び、対応する確定後にこれに関連する信号を呼び出すべき各モニタに対して出力しそこで起動し、このモニタがその応答識別子生成手段内でそれぞれの応答識別子を生成し、その伝送線４ａ３，４ｂ３，４ｃ３等を通じて制御ステーションに割り当てられた中央スイッチ４ａ４に対して出力するために、どのカメラ２ａ，２ｂが構成されているかが、適切なソフトウェアプログラムを有するこの標準ＰＣによって確定され得る。その結果、このスイッチ４ａ４は、それぞれのモニタを対応するカメラ２ａ，２ｂ，２ｃ等又はこれらのカメラに必要に応じてつなぐ。そして画像データが、それぞれのモニタからの応答識別子の受信に応答してこのカメラ又はこれらのカメラによってこのモニタに対して必要に応じて出力される。この場合、確かに非常に多い画像データが、スイッチ４ａ４を通じて伝送されるものの、個々の帯域幅は、１つのモニタ上に表示すべき画像データが表示可能である程度に僅かに保持され得る。希望であれば、１台のカメラだけからの画像データより多い画像データをモニタ上に表示すること、及び、１台のカメラからの画像データを１つより多いモニタに対して供給することが可能である。
【００２８】
応答識別子が多数の地点の監視装置内に、すなわち一方ではモニタ内に、他方では制御手段内に、さらにカメラ内にそして最後に適切な形態で接続スイッチ内に記憶されていることが上述したように分かる。
【００２９】
本発明の監視装置は、以下のように使用される：
最初にネットワークが、一般に既に十分大きい帯域幅を有する従来のＬＡＮ伝送線から敷設される。次いでＷＥＢカメラが、これらの伝送線に接続される。そして多数のモニタＰＣが、互いに密に同様に制御ステーションに設置される。制御ステーションを一緒に構成するこれらのモニタＰＣの近くに、制御手段６−ＰＣが設けられる。全ての伝送線が、スイッチ４ａ４に接続される。全ての接続された機器のダイナミックＩＰアドレスが、制御手段６−ＰＣに与えられる。こうして、どのカメラ画像をどのモニタ上に送るかが、制御手段６−ＰＣによって確定される。さらに希望する場合、非常に圧縮された細密画が、各カメラから制御手段６−ＰＣに供給されそこで表示できる。このことは、ネットワークに多大な負荷をさらにかけず、制御手段６−ＰＣに送信する必要はない。割り当てが、キーボード６ａで入力することによって実施された後に、それぞれ１つの対応する信号が、それぞれのモニタ３に対して送信される。この信号は、画像データがどのカメラによって要求され表示されるかを示す。その結果モニタ自体が、応答識別子、例えばブラウザ命令を生成する。画像データを要求するため、カメラが、このブラウザ命令によって呼び出される。この応答識別子は、例えば希望する分解能，画像レート等のようなその他のパラメータを有してもよい。これらのパラメータは、それぞれのモニタに対して不変に設定され得るか及び／又は制御手段６によって一緒にプリセット可能である。
【００３０】
生成された応答識別子は、スイッチによって受信される。アドレスが評価され、システム及び／又は個々のカメラの運転開始時にカメラの要求でこのシステム内で与えられたダイナミックＩＰアドレスが、どの接続で切り替えられるかが確定される。次いで対応する接続が、要求するモニタに対して構築される。この工程が完了した後に、非常に大きい帯域幅が個々の伝送線上で発生することなしに、希望する画像が、それぞれのモニタ上に連続して表示される。したがって、モニタがどのカメラから画像を入手したかが、制御手段からこのカメラに知らされる。この制御信号を制御手段から受信したモニタは、この制御信号を必要に応じて変換する。次いでこのモニタ自体が、このモニタに割り当てられたカメラの画像を要求する。この場合、このことは、画像データがもはや制御手段を介して送られる必要がなくて、カメラからデータ伝送線を通じてスイッチに送られそこから直接要求するモニタ（又は制御手段によって制御されたＰＣ等）に送られることを意味する。このことが多数のカメラ及びモニタで実施される場合、大量の画像データが、このスイッチだけに向かって進行し、このスイッチを通過してこのスイッチから離れる。このスイッチは、この目的のために仕様決定されているので、このことは危険ではない；したがって、例えば場合によっては起こりうる圧縮された小さい画像が装置の意図等で伝送されない限り、画像データストリームが、制御手段及びこの制御手段に対する伝送線に流れないか又はあらゆる負荷をかけない。制御手段が同様に個別モニタとして使用可能である。制御手段に対して作用する必要なただ１つの負荷が、制御信号を要求するモニタに送ることによって発生する。すなわち、非常に僅かなデータ量だけがスイッチと制御手段との間の伝送線上に流れ、全ての画像データの大量なデータは流れない。
【００３１】
個々のカメラ及び／又は１台のモニタが運転中に故障した場合、これらは、問題なくシステムから取外されて交換され得る。新たに切り替えられたモニタ又は新たに切り替えられたカメラは、それらのネットワークの要求でそれらのダイナミックＩＰアドレスを入手し、その後即座に再び呼び出し可能である。
【００３２】
応答識別子が、ＩＰアドレスによってだけではなくて、付与された名前（「モニタ７」，「カメラ１９」）によっても生成できる。個々に監視された画像及び／又は画像シーケンス及び／又は全画像シーケンスを記憶するため、データをモニタ，カメラ及び／又は中央データシステムに記憶してもよい。全てのカメラの全ての画像を高い分解能で記憶する場合、より大きい帯域幅を有する固有の伝送線を場合によっては設けることが必要になりうる。しかしこのこと自体は、それにもかかわらず完全なシステムのトータルコストにさほど負担をかけない。
【００３３】
画像データストリーム用のＪＰＥＧ，ＭＰＥＧ等のようなデータフォーマットの使用可能性並びに特に応答識別子及び／又は制御手段からモニタに対して制御情報として伝送される制御応答識別子を有し、伝送されるフォーマット，大きさ，カットアウト，圧縮比等を示し及び／又は特定するパラメータに関する画像データストリームの伝送可可能性と同様に、追加情報を有する又は有さない画像データストリームとしての画像データが、カメラの新たな呼び出し及び／又はモニタの新たな割り当てまでさらなる手段なしに連続して伝送可能である。カメラの権限のないアクセス及び／又は交換を阻止するための符号化された信頼性情報も一緒に伝送可能である。
【図面の簡単な説明】
【００３４】
【図１】本発明の監視装置を示す。
【符号の説明】
【００３５】
１              監視装置
２ａ〜２ｅ      カメラ
２ａ１〜２ｅ１  画像圧縮装置
３ａ〜３ｃ      モニタ
３ａ１〜３ｃ１  応答識別子生成手段
３ａ２〜３ｃ２  インターフェース
４              接続手段
４ａ２〜４ｅ２  ネットワーク伝送線
４ａ３〜４ｃ３  伝送線
４ａ４          スイッチ
５ａ２〜５ｅ２  応答識別子生成手段
５ａ４          応答識別子記憶装置
６              制御手段
６ａ            キーボード
【図１】
2006520145.tif 000003
【国際調査報告】
2006520145.tif 000004
2006520145.tif 000005
2006520145.tif 000006
2006520145.tif 000007
2006520145.tif 000008
2006520145.tif 000009